(57)【要約】      （修正有）【課題】カーテンとガラス戸との間の空気流路を室内空間と容易に遮断でき、これによって結露防止、冷暖房効果の向上を図るカーテン隙間覆い装置を提供する。【解決手段】ガラス戸１２の窓枠１３にレール支持用アーム１４によって支持したカーテンレール１５にスライド自在に吊り下げたカーテン１１が窓を塞いだ際、カーテン１１の上方側および左右両側の各隙間を覆うカーテンストール１を備える。カーテンストール１は、レール支持用アーム１４およびカーテンレール１５の上に載せることでカーテン１１の上方側の隙間を覆うよう支持板４を内包するかあるいは長手方向に沿っている複数の袋部５に支持板４を内装するかして成る中央支持面部２と、カーテン１１の左右両側で垂下配置してカーテン１１の左右両側の隙間を覆う左側垂下面部３ａおよび右側垂下面部３ｂとを備え、カーテンストール１には、例えばカーテン１１と同一の絵柄模様を施す。【選択図】図３
0003181317.tif 000002
【実用新案登録請求の範囲】
【請求項１】
窓枠上側にレール支持用アームを介して支持されたカーテンレールにスライド自在に吊り下げられたカーテンが窓を塞いだ際に生じる上方側および左右両側の各隙間を覆うカーテンストールを備えたカーテン隙間覆い装置であって、前記カーテンストールは、前記レール支持用アームおよびカーテンレールの上に載せられることでカーテンの上方側の隙間を覆う中央支持面部と、カーテンの左右両側から垂下配置されることでカーテンの左右両側の隙間を覆う左側垂下面部および右側垂下面部とを備えて成ることを特徴とするカーテン隙間覆い装置。
【請求項２】
中央支持面部には、前記レール支持用アームおよびカーテンレールの上に中央支持面部が支持されるよう支持板が内包されて成る請求項１のカーテン隙間覆い装置。
【請求項３】
中央支持面部は、窓幅に対応して長手方向に沿って１つあるいは複数の袋部を備え、袋部には前記レール支持用アームおよびカーテンレールの上に中央支持面部が支持されるよう支持板が内装されて成る請求項１記載のカーテン隙間覆い装置。
【請求項４】
カーテンストールには、カーテンと同一の絵柄模様が施されて成る請求項１乃至３のいずれか記載のカーテン隙間覆い装置。
【請求項５】
窓枠上側にレール支持用アームによって支持されたカーテンレールにスライド自在に吊り下げれたカーテンが窓を塞いだ際に生じる上方側および左右両側の各隙間を覆うカーテンストールを備えたカーテン隙間覆い装置であって、前記カーテンストールは、前記レール支持用アームおよびカーテンレールの上に載せられることでカーテンの上方側の隙間を覆うよう支持板が内包されるかあるいは長手方向に沿って形成された複数の袋部に支持板が内装されるかして成る中央支持面部と、カーテンの左右両側で垂下配置されることでカーテンの左右両側の隙間を覆う左側垂下面部および右側垂下面部とを備えて成ることを特徴とするカーテン隙間覆い装置。
【考案の詳細な説明】
【技術分野】
【０００１】
本考案は、例えばガラス戸等、特にマンション、一般家屋における主として掃き出しタイプの開口部に嵌め込まれるガラス戸の室内側に掛けられたカーテンでガラス戸を塞いだ際、カーテンの上方側および左右両側の各隙間を覆い、ガラス戸の結露防止、室内の冷暖房の効率向上等を図るようにした所謂カーテンストールと称するカーテン隙間覆い装置に関する。
【背景技術】
【０００２】
従来から、ガラス戸にカーテンを吊設する場合、ガラス戸を嵌め込む窓枠上部に沿って配設されたレール支持用アームによってカーテンレールを付設し、このカーテンレールにスライド自在に配された複数のスライダフックにカーテンを掛けることで吊り下げ支持している。
【０００３】
ところで、このように窓枠にレール支持用アームよってカーテンレールを架設した場合、レール支持用アームを含む取付寸法に対応した間隔でカーテンとガラス戸との間が離間した状態となる。このため、ガラス戸をカーテンで塞いだ際には、カーテンの両側縁部と、ガラス戸の窓枠側とに隙間が生じるようになり、このような隙間を通してカーテンとガラス戸との間に空気の流路が形成されるため、外気に直接触れているガラス戸自体に結露が生じ、また室内の冷暖房効果も損なわれる。
【０００４】
そこで従来では、上記したような隙間を塞ぐための様々な対策が施されている。例えば、特許文献１に開示されているように、カーテンレールの一側端部よりも突出した状態にカーテンを吊設し、この突出部分でガラス戸とカーテンとの一側縁部に形成される隙間を覆い隠せるようにして、カーテン開閉時に光漏れが生じるのを防止することができる幕体の隙間覆い構造が提案されている。
【０００５】
また、特許文献２に開示されているように、ヘッドレールの正面に面ファスナーが設けられ、適宜位置で折曲可能なリターンプレートの正面および裏面にそれぞれ面ファスナーが設けられ、リターンプレートの裏面の面ファスナーがヘッドレールの正面の面ファスナーの側端部に添着されて、リターンプレートの一側端部がヘッドレールの正面の側端部に取り付けられると共に、リターンプレートの他側端部がヘッドレールの側部周辺へと折曲されて、さらに、スクリーンの上端裏面に設けられた面ファスナーがリターンプレートの正面の面ファスナーとヘッドレールの正面の面ファスナーの非側端部とに添着されて、スクリーンが吊下げられるものとしたカーテンの隙間覆い構造が提案されている。
【先行技術文献】
【特許文献】
【０００６】
【特許文献１】実開平７−３０８６７号公報
【特許文献２】実用新案登録第３０５８１２８号公報
【考案の概要】
【考案が解決しようとする課題】
【０００７】
しかしながら、特許文献１および特許文献２の隙間覆い構造においては、ガラス戸とカーテンとの間に生じている一側縁部に形成される隙間を覆い隠せるだけであって、カーテンの上側縁部と、ガラス戸の窓枠側とに生じる隙間を塞ぐような対策は未だなされてはいない。そのため、窓枠上方からの隙間を通してカーテンとガラス戸との間に空気の流路が形成されてしまうから、外気に触れる室内空気の湿気分によってガラス戸に結露が生じるばかりでなく、室内の冷暖房効果を減殺させてしまっている。しかも、従来ではカーテン構造に対し複雑で且つ高価な隙間覆い機構を付設しなければならず、既設のカーテン構造ではその対応が非常に困難なものとなる。
【０００８】
そこで、本考案は叙上のような従来存した諸事情に鑑み創案されたもので、ガラス戸をカーテンで塞いだ際におけるカーテンの両側縁部とガラス戸の窓枠側とに生じる隙間、およびカーテンの上側縁部とガラス戸の窓枠側とに生じる隙間を、カーテン構造に改良を加えることなく同時に塞ぐことができ、既設のカーテン構造に改良を施さなくてもカーテンとガラス戸との間の空気流路を室内空間と容易且つ確実に遮断することができ、これによって結露防止、室内の冷暖房効果の向上を確実なものとするカーテン隙間覆い装置を提供することを目的とする。
【課題を解決するための手段】
【０００９】
上述した課題を解決するために、本考案にあっては、窓枠１３上側にレール支持用アーム１４によって支持されたカーテンレール１５にスライド自在に吊り下げられたカーテン１１が窓を塞いだ際に生じる上方側および左右両側の各隙間を覆うカーテンストール１を備えたカーテン隙間覆い装置であって、前記カーテンストール１は、前記レール支持用アーム１４およびカーテンレール１５の上に載せられることでカーテン１１の上方側の隙間を覆う中央支持面部２と、カーテン１１の左右両側で垂下配置されることでカーテン１１の左右両側の隙間を覆う左側垂下面部３ａおよび右側垂下面部３ｂとを備えて成ることを特徴とする。
中央支持面部２には、前記レール支持用アーム１４およびカーテンレール１５の上に当該中央支持面部２が支持されるよう支持板４が内包されて成るものとできる。
中央支持面部２は、窓幅に対応して長手方向に沿って１つあるいは複数の袋部５を備え、袋部５には前記レール支持用アーム１４およびカーテンレール１５の上に当該中央支持面部２が支持されるよう支持板４が内装されて成るものとできる。
カーテンストール１には、前記カーテン１１と同一の絵柄模様６が施されて成るものとできる。
【００１０】
以上のように構成された本考案に係るカーテン隙間覆い装置を構成するカーテンストール１は、中央支持面部２がレール支持用アーム１４およびカーテンレール１５の上に載せられることでカーテン１１の上方側の隙間が覆われ、当該カーテン１１の上方側と窓部に配置のガラス戸１２との間の空気流路（空気溜まり）を室内空間と遮断させる。
これと同時に左側垂下面部３ａおよび右側垂下面部３ｂがカーテン１１の左右両側でそれぞれ垂下配置されることで、カーテン１１の左右両側と窓に配置のガラス戸１２との間の空気流路も同様に室内空間と遮断させる。
また、支持板４が内包されて、窓幅に対応して成る中央支持面部２は、レール支持用アーム１４およびカーテンレール１５上への設置安定性を確保させる。
さらに、各袋部５に支持板４が内装されている中央支持面部２は、レール支持用アーム１４およびカーテンレール１５上への設置安定性と同時に不使用の際の折り畳みによるコンパクトな保管を可能にさせる。
カーテン１１と同一の絵柄模様６が施されて成るカーテンストール１は、利用者に対しカーテン１１との一体感を付与させる。
【考案の効果】
【００１１】
本考案によれば、ガラス戸１２による窓をカーテン１１で塞いだ際におけるカーテン１１の両側縁部と窓枠１３側とに生じる隙間、およびカーテン１１の上側縁部と窓枠１３側とに生じる隙間を、カーテン構造に改良を加えることなく同時に塞ぐことができる。しかも、既設のカーテン構造に改良を施さなくてもカーテン１１とガラス戸１２との間に生じる空気溜まりを室内空間と容易且つ確実に遮断することができ、これによってガラス戸１２面に生じる結露を防止できると共に、室内の冷暖房効果の向上を確実なものとする。
【００１２】
すなわち、これは本考案が、カーテンストール１は、レール支持用アーム１４およびカーテンレール１５の上に載せられることでカーテン１１の上方側の隙間を覆う中央支持面部２と、カーテン１１の左右両側で垂下配置されることでカーテン１１の左右両側の隙間を覆う左側垂下面部３ａおよび右側垂下面部３ｂとを備えて成るからである。これにより、ガラス戸１２のある窓をカーテン１１で塞いだ際における当該カーテン１１の両側縁部と窓枠１３側とに生じる隙間、およびカーテン１１の上側縁部と窓枠１３側とに生じる隙間の３方向を同時に塞ぐことができ、カーテン１１と窓枠１３側との間に生じる空気流路である空気溜まりを室内空間と流通させず、これらの間を遮断するのである。
【００１３】
中央支持面部２には、レール支持用アーム１４およびカーテンレール１５の上に当該中央支持面部２が支持されるよう支持板４が内包されて成るので、中央支持面部２をレール支持用アーム１４およびカーテンレール１５上に設置した際のカーテンストール１自体の保持安定性を容易に得ることができる。
【００１４】
中央支持面部２は、窓幅に対応して長手方向に沿って１つあるいは複数の袋部５を備え、袋部５にはレール支持用アーム１４およびカーテンレール１５の上に当該中央支持面部２が支持されるよう支持板４が内装されて成るので、カーテンストール１自体のレール支持用アーム１４およびカーテンレール１５上での設置安定性が得られると同時に、不使用の際には内装した各支持板４を介して、あるいは支持板4を取り外して適宜折り畳むことでカーテンストール１の収納保管が容易となる。
【００１５】
カーテンストール１は、カーテン１１と同一の絵柄模様６が施されていると、利用者に対しカーテン１１との一体感を付与させることができ、またカーテン１１とのセット販売にも供することができる。また、絵柄模様６がカーテンストール１とカーテン１１とで異なっていても、それぞれがアクセントとなり、趣向によって変化させることで一層の興趣性を増大させる。
【００１６】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１７】
【図１】本考案の実施の形態においてカーテンストールを窓枠に取り付けるときの一例を示す斜視図である。
【図２】同じくカーテンストールを窓枠に取り付けた状態の斜視図である。
【図３】同じくカーテンストールを窓枠に取り付けた状態の要部の断面図である。
【図４】折り畳まれたカーテンストールを展開している状態の斜視図である。
【図５】支持板が内包された変形例を示す要部の斜視図である。
【考案を実施するための形態】
【００１８】
以下、図面を参照して本考案の実施の一形態を詳細に説明すると、図において示される符号１は、本考案に係るカーテン隙間覆い装置を構成するカーテンストールである。このカーテンストール１は、図１および図２に示すように、例えば掃き出しタイプのガラス戸１２を嵌め込む窓枠１３部において、その上側で室内側に向けて配設されたレール支持用アーム１４によって架設されたカーテンレール１５に、スライド自在に掛けられたカーテン１１が窓におけるガラス戸１２を塞いだ際に生じる上方側および左右両側の各隙間を覆うように正面から見てほぼ門字形に形成されている。
【００１９】
カーテンストール１自体は、例えばカーテン生地と同様な布帯材を扁平筒状にして形成されており、長手方向全長に対して中央部分が、レール支持用アーム１４を含むカーテンレール１５の全長にわたって載せられるよう中央支持面部２となっている。そして、この中央支持面部２の両側には、カーテンレール１５の位置から床面までにわたって垂下されるよう左側垂下面部３ａおよび右側垂下面部３ｂとが連設されている。すなわち、カーテンストール１の全体は、略コ字形となして構成されていて、望ましくは、カーテンストール１には、カーテン１１と同一の絵柄模様６が施されていることで、カーテン１１と共に設置されるときの全体の一体性が得られるようにしている。
【００２０】
中央支持面部２は、図３に示すように、レール支持用アーム１４およびカーテンレール１５の上に載せられることで、ガラス戸１２の全面を塞いだ際のカーテン１１の上方側に生じた隙間を覆うためのものであり、覆ったときのレール支持用アーム１４およびカーテンレール１５に対する載置安定性を確保するために中央支持面部２には長手方向にわたって支持板４が内装されている。すなわち、扁平筒状の中央支持面部２の筒側縁部が長手方向に沿って開放されており、中央支持面部２の所定間隔ごとに横幅に沿って縫製部７が施されていることで複数の袋部５が形成されている。そして、これら各袋部５には支持板４が着脱自在となって内装されることで、レール支持用アーム１４およびカーテンレール１５に対する安定した剛性的な支持面が得られるようにしてある。
【００２１】
この中央支持面部２は、窓における窓幅にほぼ対応した長さに形成されており、レール支持用アーム１４およびカーテンレール１５に載せられたときには、その載置部分は少なくとも例えば支持板４が内包されることで剛性化される。また、この支持板４も、窓幅に対応した長さとなる中央支持面部２に対応した合計長さとされており、１つの袋部５に内包される１枚で形成される場合、複数の袋部５に内包される複数枚で形成される場合とするもいずれも任意に設定できる。ただ、複数の袋部５に内包される複数枚の支持板４構成とすることで、異なる窓幅の長短に対応できるように、支持板４の枚数を選択することができる。
【００２２】
左側垂下面部３ａおよび右側垂下面部３ｂは、ガラス戸１２の全面を塞いだ際のカーテン１１の左右両側に生じた隙間、すなわちカーテン１１の左右側縁と窓枠１３の両側縁との間に生じた隙間を覆うために中央支持面部２の左右両側から垂下配置されるものである。これらの左側垂下面部３ａおよび右側垂下面部３ｂは、カーテン１１の左右側縁と窓枠１３の両側縁との間に生じた隙間を覆うものとされるから、１葉構造の布帯材であっても良く、袋状に形成される必要はない。
【００２３】
尚、これらの左側垂下面部３ａおよび右側垂下面部３ｂは、中央支持面部２の左右での垂れ下がり状態となるとき、これを保持すべく安定した自重を得るために、必要であれば左側垂下面部３ａおよび右側垂下面部３ｂには上記と同様な袋部５が形成され、その中に支持板４が内装されることもある。なお、これら左側垂下面部３ａおよび右側垂下面部３ｂそれぞれに対する支持板４の内装は、必要に応じて実施されるものであり、左側垂下面部３ａおよび右側垂下面部３ｂそれぞれ用の支持板４は無くても良い。
【００２４】
また、図５に示すように、製作時において中央支持面部２の長手方向にわたって長尺な支持板４を内包させても良い。この場合、支持板４の横幅はレール支持用アーム１４の長さに略対応し、支持板４の長さはカーテンレール１５の全長に略対応している。この長尺な支持板４とする場合、中央支持面部２の側方から支持板４を内包させる場合に限らず、中央支持面部２と左側垂下面部３ａあるいは右側垂下面部３ｂとの境界部位に開口形成した挿入口によって出し入れするようにしても良い。
【００２５】
カーテンストール１自体は、窓幅に対応した中央支持面部２と、窓高さに対応した左側垂下面部３ａおよび右側垂下面部３ｂとの合計長さで形成されるも、実際にはこれらは種々に異なるから、長短がそれぞれに異なる複数種の中央支持面部２および左側垂下面部３ａ、右側垂下面部３ｂそれぞれを各別に用意しておき、窓幅、窓高さそれぞれに対応した中央支持面部２、左側垂下面部３ａ、右側垂下面部３ｂそれぞれを組み合わせ、繋ぐことで構成することも可能である。もとより、繋ぐ構成とする場合、中央支持面部２、左側垂下面部３ａ、右側垂下面部３ｂのいずれもが、それ自体で長短を自在に設定できるように分割組合せ式となっていても良く、繋ぎ構造自体も例えば面ファスナー、フック、釦、スナップ等の所定の繋ぎ具とすることができ、特に限定されない。
【００２６】
次に、以上のように構成された形態についての使用の一例について説明すると、先ず、図１に示すように、カーテンストール１の中央支持面部２に形成されている各袋部５に支持板４を挿入しておく。そして、図２および図３に示すように、窓に嵌め込まれているガラス戸１２をカーテン１１で塞いだ際に、中央支持面部２における袋部５の開放側を例えばガラス戸１２側に向けるようにしてカーテンストール１の中央支持面部２をレール支持用アーム１４およびカーテンレール１５の上に載せ、中央支持面部２の左右両側から左側垂下面部３ａおよび右側垂下面部３ｂそれぞれを垂下配置させる。こうすることでカーテン１１の窓に対する上方側および左右両側の各隙間が覆われ、室内空間と遮断させる。
【００２７】
また、カーテンストール１を使用しない場合は、図４に示すように、中央支持面部２の各袋部５に支持板４を挿入した状態であっても、その支持板４端部である縫製部７の部位でカーテンストール１自体を適宜折り畳むことによりコンパクトにした収納保管も可能である。もとより、支持板４を抜き出し、カーテンストール１本体とは別に保管しておくも差し支えなく、支持板４の抜き出しによってカーテンストール１自体を自在に折り畳み保管できる。
【００２８】
尚、このカーテンストール１が使用される窓は、掃き出し窓構造である場合に限らず、肘掛窓構造、腰高窓構造、腰掛窓構造、出窓構造等のいずれであっても使用可能であり、窓枠構造、形式その他によって限定されるものではない。
【符号の説明】
【００２９】
１…カーテンストール                    ２…中央支持面部
３ａ…左側垂下面部                      ３ｂ…右側垂下面部
４…支持板                              ５…袋部
６…絵柄模様                            ７…縫製部
１１…カーテン                          １２…ガラス戸
１３…窓枠                              １４…レール支持用アーム
１５…カーテンレール
【図１】
0003181317.tif 000003
【図２】
0003181317.tif 000004
【図３】
0003181317.tif 000005
【図４】
0003181317.tif 000006
【図５】
0003181317.tif 000007